(57)【特許請求の範囲】
【請求項１】
携帯機と、該携帯機からの電波を受信する車載機とを有する通信システムであって、
前記携帯機は、
該携帯機によって受信可能なリクエスト信号を送信できるとともに、該リクエスト信号に対して、該携帯機によって送信されるレスポンス信号を受信できるエリア以外のエリアで、且つ、該携帯機によって検出可能なリクエスト信号を送信できるエリアに位置する車載機によって送信される前記リクエスト信号を検出する第１の受信部と、
前記第１の受信部によって前記リクエスト信号が検出された際に、前記車載機が搭載された車両へ、所定の動作を実行させるための駆動要求信号を送信する制御を行う第１の制御部と
を有し、
前記車載機は、
前記携帯機によって送信される前記駆動要求信号を受信する第２の受信部と、
前記駆動要求信号に従って、前記車両に、前記所定の動作を実行させる制御を行う第２の制御部と
を有する、通信システム。
【請求項２】
前記第２の制御部は、前記駆動要求信号に従って、前記車両に、該車両に搭載された充電リッドのロック又はアンロックを実行させるための制御を行う、請求項１に記載の通信システム。
【請求項３】
前記第２の制御部は、前記駆動要求信号に従って、前記車両に、該車両に搭載された充電ケーブルのロック又はアンロックを実行させるための制御を行う、請求項１に記載の通信システム。
【請求項４】
前記第２の制御部は、前記駆動要求信号に含まれるコードの照合結果が正しいと判断した場合に、前記車両に、前記所定の動作を実行させるための制御を行う、請求項１に記載の通信システム。
【請求項５】
携帯機からの電波を受信する車載機であって、
前記車載機は、前記携帯機によって受信可能なリクエスト信号を送信できるとともに、該リクエスト信号に対して、該携帯機によって送信されるレスポンス信号を受信できるエリア以外のエリアで、且つ、前記携帯機によって検出可能なリクエスト信号を送信できるエリアに位置し、
前記車載機は、
前記携帯機によって送信される駆動要求信号を受信する受信部と、
前記駆動要求信号に従って、車両に、所定の動作を実行させるための制御を行う制御部と
を有し、
前記駆動要求信号は、前記車載機によって送信される前記リクエスト信号を検出した前記携帯機により、前記車載機が搭載された前記車両へ前記所定の動作を実行させるために、送信されたものである、車載機。
【請求項６】
携帯機と、該携帯機からの電波を受信する車載機とを有する通信システムによって実行される制御方法であって、
前記携帯機は、
該携帯機によって受信可能なリクエスト信号を送信できるとともに、該リクエスト信号に対して、該携帯機によって送信されるレスポンス信号を受信できるエリア以外のエリアで、且つ、該携帯機によって検出可能なリクエスト信号を送信できるエリアに位置する車載機によって送信される前記リクエスト信号が検出された際に、前記車載機が搭載された車両へ、所定の動作を実行させるための駆動要求信号を送信するための制御を行い、
前記車載機は、
前記携帯機によって送信される前記駆動要求信号を受信し、
該駆動要求信号に従って、前記車両に、前記所定の動作を実行させるための制御を行う、制御方法。
【請求項７】
携帯機からの電波を受信する車載機によって実行される制御方法であって、
前記車載機は、前記携帯機によって受信可能なリクエスト信号を送信できるとともに、該リクエスト信号に対して、該携帯機によって送信されるレスポンス信号を受信できるエリア以外のエリアで、且つ、前記携帯機によって検出可能なリクエスト信号を送信できるエリアに位置し、
前記車載機は、
前記携帯機によって送信される駆動要求信号を受信し、
該駆動要求信号に従って、車両に、所定の動作を実行させるための制御を行い、
前記駆動要求信号は、前記車載機によって送信される前記リクエスト信号を検出した前記携帯機により、前記車載機が搭載された前記車両へ前記所定の動作を実行させるために、送信されたものである、制御方法。
【発明の詳細な説明】
【技術分野】
【０００１】
本発明は、例えば、車両に搭載される通信システムに関する。
【背景技術】
【０００２】
機械的な鍵を使用せずに車両のドアの施錠又は解錠、さらには車両の始動を可能する自動車の機能が知られている。
【０００３】
例えば、車両側ユニットと、携帯機との間で相互通信が行われる。車両側ユニットは、リクエスト信号を送信する。リクエスト信号を受信した携帯機は、該リクエスト信号に応答するため、レスポンス信号を送信する。車両側ユニットは、レスポンス信号に基づいて機能する。
【０００４】
また、乗員の意志に応じて給油口を容易に開くことができる車両用給油口カバー開口装置が知られている（例えば、特許文献１参照）。
【０００５】
例えば、ガソリンスタンド等に車両を乗り入れて給油する際に、スマートキーから送信される識別情報によって車両の所有者が判断される。乗員やガソリンスタンド店員等の給油者によって給油口に設けられたタッチセンサがオンされた場合に、給油口開閉アクチュエータが駆動され給油口カバーが自動的に開かれる。給油が終了して、乗員やガソリンスタンド店員が給油口から離れると距離センサがこれを検出して、給油口開閉アクチュエータを駆動して給油口カバーが自動的に閉じられる。
【０００６】
また、エンジンの回転力を直接動力として利用することに加え、発電機を回すために利用するハイブリッド自動車が知られている。
【０００７】
また、電気モータを動力源とする電気自動車(EV：Electric  Vehicle)が知られている。
【０００８】
また、車両に付けたソケットにプラグを差し込み、外部電源から直接充電できるハイブリッド自動車が知られている。この方式のハイブリッド自動車は、ＰＨＶ(Plug‐in  Hybrid  Vehicle)又はＰＨＥＶ(Plug‐in  Hybrid  Electric  Vehicle)と呼ばれる。
【先行技術文献】
【特許文献】
【０００９】
【特許文献１】特開２００９−６７２７７号公報
【発明の概要】
【発明が解決しようとする課題】
【００１０】
ＥＶや、ＰＨＶには、充電リッドが搭載される。該充電リッドに充電ケーブルを接続することにより、外部電源から直接充電できる。
【００１１】
ガソリンで走行する自動車と比較して、ＥＶや、ＰＨＶは航続距離が短いため、ＥＶや、ＰＨＶの充電の頻度は高くなると想定される。従って、ＥＶや、ＰＨＶでは、携帯機からの電波により、ドアをロックしたり、アンロックしたりする制御と同期して、充電リッドをロックしたり、アンロックしたりする制御ができることが望ましい。
【００１２】
しかし、充電リッドは、フューエルリッドと同様に、ロック制御機構を有さない。充電リッドは、充電リッドの蓋をオープンするためのレバーを操作することによりオープンされる。充電リッドをオープンするためのレバーは、車室内に設けられる。
【００１３】
携帯機からの電波により、ドアをロックしたり、アンロックしたりする制御と同期して、充電リッドの蓋をロックしたり、アンロックしたりする制御を考える。例えば、充電リッドの近傍に、車載機に、携帯機からの充電リッドのロックや、アンロックを要求する信号を検出させる機能をオンさせるためのスイッチを備えるようにする。スイッチが押されることにより、ドア近傍に搭載された送信機から電波が送信される。
【００１４】
しかし、送信機の通信エリアは該送信機を中心に形成される。このため、充電リッドの位置が通信エリアからはずれる場合、送信機と、充電リッドの近傍に位置する携帯機との間で相互に通信できない場合がある。例えば、充電リッドが搭載される位置は規定されていない。このため、充電リッドが搭載される位置によっては、送信機と、充電リッドの近傍に位置する携帯機との間で相互に通信できないことが想定される。
【００１５】
送信機と、充電リッドの近傍に位置する携帯機との間で相互に通信できるように、アンテナを工夫しようとしても、車両の外板の金属部の影響により、アンテナの配置ができない場合がある。
【００１６】
送信機からの電波の出力を増加させることにより、電波の届く範囲を広げることができる。しかし、各国の法律により、電波出力値の上限が規定されているため、電波の出力を自由に設計することはできない。
【００１７】
本発明は、上述の点に鑑みてなされたものであり、車載機との間で相互に通信できない場合であっても、携帯機により、車載機に、所定の動作を実行させることを目的とする。
【課題を解決するための手段】
【００１８】
開示の一実施例の通信システムは、
携帯機と、該携帯機からの電波を受信する車載機とを有する通信システムであって、
前記携帯機は、
該携帯機によって受信可能なリクエスト信号を送信できるとともに、該リクエスト信号に対して、該携帯機によって送信されるレスポンス信号を受信できるエリア以外のエリアで、且つ、該携帯機によって検出可能なリクエスト信号を送信できるエリアに位置する車載機によって送信される前記リクエスト信号を検出する第１の受信部と、
前記第１の受信部によって前記リクエスト信号が検出された際に、前記車載機が搭載された車両へ、所定の動作を実行させるための駆動要求信号を送信する制御を行う第１の制御部と
を有し、
前記車載機は、
前記携帯機によって送信される前記駆動要求信号を受信する第２の受信部と、
前記駆動要求信号に従って、前記車両に、前記所定の動作を実行させる制御を行う第２の制御部と
を有する。
【００１９】
開示の一実施例の車載機は、
携帯機からの電波を受信する車載機であって、
前記車載機は、前記携帯機によって受信可能なリクエスト信号を送信できるとともに、該リクエスト信号に対して、該携帯機によって送信されるレスポンス信号を受信できるエリア以外のエリアで、且つ、前記携帯機によって検出可能なリクエスト信号を送信できるエリアに位置し、
前記車載機は、
前記携帯機によって送信される駆動要求信号を受信する受信部と、
前記駆動要求信号に従って、車両に、所定の動作を実行させるための制御を行う制御部と
を有し、
前記駆動要求信号は、前記車載機によって送信される前記リクエスト信号を検出した前記携帯機により、前記車載機が搭載された前記車両へ前記所定の動作を実行させるために、送信されたものである。
【００２０】
開示の一実施例の制御方法は、
携帯機と、該携帯機からの電波を受信する車載機とを有する通信システムによって実行される制御方法であって、
前記携帯機は、
該携帯機によって受信可能なリクエスト信号を送信できるとともに、該リクエスト信号に対して、該携帯機によって送信されるレスポンス信号を受信できるエリア以外のエリアで、且つ、該携帯機によって検出可能なリクエスト信号を送信できるエリアに位置する車載機によって送信される前記リクエスト信号が検出された際に、前記車載機が搭載された車両へ、所定の動作を実行させるための駆動要求信号を送信するための制御を行い、
前記車載機は、
前記携帯機によって送信される前記駆動要求信号を受信し、
該駆動要求信号に従って、前記車両に、前記所定の動作を実行させるための制御を行う。
【００２１】
開示の一実施例の制御方法は、
携帯機からの電波を受信する車載機によって実行される制御方法であって、
前記車載機は、前記携帯機によって受信可能なリクエスト信号を送信できるとともに、該リクエスト信号に対して、該携帯機によって送信されるレスポンス信号を受信できるエリア以外のエリアで、且つ、前記携帯機によって検出可能なリクエスト信号を送信できるエリアに位置し、
前記車載機は、
前記携帯機によって送信される駆動要求信号を受信し、
該駆動要求信号に従って、車両に、所定の動作を実行させるための制御を行い、
前記駆動要求信号は、前記車載機によって送信される前記リクエスト信号を検出した前記携帯機により、前記車載機が搭載された前記車両へ前記所定の動作を実行させるために、送信されたものである。
【発明の効果】
【００２２】
開示の実施例によれば、車載機との間で相互に通信できない場合であっても、携帯機により、車載機に、所定の動作を実行させることができる。
【図面の簡単な説明】
【００２３】
【図１】通信システムの一実施例を示す図である。
【図２】車載機と、携帯機との間で無線通信可能なエリアの一実施例を示す図である。
【図３】車載機の一実施例を示す図である。
【図４】通信システムの動作の一実施例を示すフローチャートである。
【図５】通信システムの一実施例を示す図である。
【図６】車載機の一実施例を示す図である。
【発明を実施するための形態】
【００２４】
次に、本発明を実施するための形態を、以下の実施例に基づき図面を参照しつつ説明する。
なお、実施例を説明するための全図において、同一機能を有するものは同一符号を用い、繰り返しの説明は省略する。
【００２５】
＜第１の実施例＞
＜通信システム＞
図１は、通信システムの一実施例を示す。
【００２６】
通信システムは、車載機１００と、携帯機２００とを有する。図１には、車載機１００からの命令により、ドア３０４、充電リッド３０６を制御する制御電子制御ユニット(ECU：Electronic  Control  Unit)３００が示される。ドア３０４、充電リッド３０６に限らず、制御電子制御ユニット３００により、他の駆動機器が制御されてもよい。
【００２７】
車載機１００には、該車載機１００からのリクエスト信号を受信した携帯機２００により送信されたレスポンス信号により車両のドア３０４の施錠又は解錠、エンジン動作やハイブリッドシステムの始動を可能とする機能を有するシステムが搭載される。換言すれば、車載機１００には、機械的なキー（鍵）を使用せずに車両のドアの施錠又は解錠、エンジン動作やハイブリッドシステムの始動を可能とする機能を有するシステムが搭載される。該システムは、スマートエントリーシステムとも呼ばれる。
【００２８】
さらに、車載機１００は、携帯機２００からの信号（以下、「駆動要求信号」という）により充電リッド３０６の施錠又は解錠を可能とする。具体的には、車載機１００は、充電リッド３０６の蓋の施錠又は解錠を行う。車載機１００により、充電リッド３０６の蓋が解錠されるとともに、オープンされてもよい。
【００２９】
＜車載機１００＞
車載機１００は、送受信機１０２と、照合ＥＣＵ１０４とを有する。
【００３０】
送受信機１０２は、携帯機２００との間で電波の送受信を行う。
【００３１】
図２は、車載機１００と、携帯機２００との間で無線通信可能なエリアの一実施例を示す。図２には、送受信機１０２と、充電リッド３０６が示される。
【００３２】
送受信機１０２は、車両の右前方のドアの近傍に搭載される。充電リッド３０６は、車両の右側面の後方に搭載される。送受信機１０２と携帯機２００との間で互いに電波を送受信できるエリアとして、車両の右前方のドアの近傍を中心とした略半円状のエリア（以下、「エリアＡ」という）を想定できる。
【００３３】
車両が駐車している場合、ユーザに携帯される携帯機２００を探すため、定期的に、送受信機１０２からリクエスト信号が発信される。携帯機２００は、リクエスト信号を受信した場合、該リクエスト信号に応答するためにレスポンス信号を送信する。
【００３４】
送受信機１０２は、携帯機２００からのレスポンス信号を受信することにより、携帯機２００との間で相互に無線通信を行うことができる。つまり、エリアＡでは、送受信機１０２と、携帯機２００との間で相互に通信できる。送受信機１０２と、携帯機２００との間で相互に無線通信を行うことにより、携帯機２００からの電波に応じて、車載機１００は、制御ＥＣＵ３００へ、ドア３０４をロックしたり、アンロックしたりする命令を含む制御信号を送信できる。さらに、携帯機２００からの電波に応じて、車載機１００は、制御ＥＣＵ３００へ、充電リッド３０６をロックしたり、アンロックしたりする命令を含む制御信号を送信するようにしてもよい。
【００３５】
また、送受信機１０２と、携帯機２００との間で相互に無線通信を行うことはできないが、携帯機２００により送受信機１０２からの電波を検出できるエリアであり、且つ携帯機２００からの電波が送受信機１０２へ届くエリア（以下、「エリアＢ」という）を想定できる。
【００３６】
エリアＢは、車両のドアの近傍を中心としたエリアＡよりも半径が長い略半円状のエリアで、且つエリアＡ以外のエリアである。エリアＢでは、携帯機２００は、送受信機１０２からの電波を検出した場合、駆動要求信号を送信する。駆動要求信号は、送受信機１０２により受信される。
【００３７】
駆動要求信号には、充電リッド３０６をロック又はアンロックさせる命令が含まれる。つまり、駆動要求信号により、充電リッド３０６のロック又はアンロックが実行される。また、駆動要求信号には、ドア３０４をロック又はアンロックさせる命令が含まれてもよい。つまり、駆動要求信号により、ドア３０４のロック又はアンロックが実行される。また、駆動要求信号には、充電リッド３０６をロック又はアンロックさせる命令と、ドア３０４をロック又はアンロックさせる命令とが含まれてもよい。つまり、駆動要求信号により、ドア３０４のロック又はアンロックが実行されるとともに、充電リッド３０６のロック又はアンロックが実行される。駆動要求信号により実行させる処理については、予め設定されてもよい。車載機１００の一実施例では、携帯機２００からの駆動要求信号に応じて、制御ＥＣＵ３００へ、充電リッド３０６をロック又はアンロックさせる命令を含む制御信号を送信する。
【００３８】
図２には、携帯機２００により送受信機１０２からの電波を検出できないエリア、又は携帯機２００からの電波が送受信機１０２へ届かないエリア（以下、「エリアＣ」という）が示される。エリアＣは、エリアＡ、エリアＢ以外のエリアである。
【００３９】
照合ＥＣＵ１０４は、送受信機１０２と接続される。照合ＥＣＵ１０４は、ＭＰＵ(Micro‐Processing  Unit)１０６を有する。
【００４０】
＜車載機１００の機能＞
図３は、車載機１００の機能の一実施例を示す機能ブロック図である。図３には、車両の機能も示される。車載機１００の機能ブロック図により表される機能は、主に、ＭＰＵ１０６により実行される。つまり、レスポンス信号照合部１０６２、駆動要求信号照合部１０６４、及び受信要求部１０６６としての機能が、ＭＰＵ１０６の内部に記憶されたアプリケーション（ファームウェア）に従ってＭＰＵ１０６により実行される。また、レスポンス信号照合部１０６２、駆動要求信号照合部１０６４、及び受信要求部１０６６としての機能が、記憶部（図示無し）に記憶されたアプリケーションに従ってＭＰＵ１０６により実行されてもよい。
【００４１】
ＭＰＵ１０６は、レスポンス信号照合部１０６２と、駆動要求信号照合部１０６４と、受信要求部１０６６として機能する。
【００４２】
レスポンス信号照合部１０６２には、送受信機１０２からのレスポンス信号が入力される。レスポンス信号照合部１０６２は、レスポンス信号に含まれるコードが、特定のコードと合致しているか否かを判別する。レスポンス信号照合部１０６２は、レスポンス信号に含まれるコードが、特定のコードと合致していると判別された場合、制御ＥＣＵ３００へ、ドアのロック又はドアのアンロックを要求する。つまり、レスポンス信号照合部１０６２は、制御ＥＣＵ３００へ、ドアのロック又はドアのアンロックを要求する制御信号を入力する。
【００４３】
また、レスポンス信号照合部１０６２は、送受信機１０２からのレスポンス信号に含まれるコードに付加されたローリングコード（以下、「第１のローリングコード」という）が、前回の第１のローリングコードの値から所定の範囲内であるか否かを判別するようにしてもよい。レスポンス信号照合部１０６２は、第１のローリングコードが、前回の第１のローリングコードの値から所定の範囲内であると判別された場合、制御ＥＣＵ３００へ、ドアのロック又はドアのアンロックを要求するようにしてもよい。つまり、レスポンス信号照合部１０６２は、制御ＥＣＵ３００へ、ドアのロック又はドアのアンロックを要求する制御信号を入力する。
【００４４】
駆動要求信号照合部１０６４には、送受信機１０２からの駆動要求信号が入力される。駆動要求信号照合部１０６４は、駆動要求信号に含まれるローリングコード（以下、「第２のローリングコード」という）が、前回の第２のローリングコードの値から所定の範囲内であるか否かを判別する。駆動要求信号照合部１０６４は、駆動要求信号に含まれる第２のローリングコードが、前回の第２のローリングコードの値から所定の範囲内であると判別された場合、制御ＥＣＵ３００へ、充電リッドのロック又はアンロックを要求する。つまり、駆動要求信号照合部１０６４は、制御ＥＣＵ３００へ、充電リッドのロック又はアンロックを要求する制御信号を入力する。駆動要求信号照合部１０６４は、制御ＥＣＵ３００へ、充電リッドのロック又はアンロックを要求する制御信号を入力するとともに、ドアのロック又はドアのアンロックを要求する制御信号を入力するようにしてもよい。
【００４５】
また、駆動要求信号照合部１０６４は、駆動要求信号に含まれる第２のローリングコードが、前回の第２のローリングコードの値から所定の範囲内であると判別された場合、制御ＥＣＵ３００へ、ドアのロック又はドアのアンロックを要求する制御信号を入力するようにしてもよい。
【００４６】
携帯機２００は、レスポンス信号を送信する度に、第１のローリングコードをカウントアップする。また、携帯機２００は、駆動要求信号を送信する度に、第２のローリングコードをカウントアップする。第１のローリングコードのカウントアップ幅は、第２のローリングコードのカウントアップ幅と同じであってもよいし、異なってもよい。車載機１００は、携帯機２００からのレスポンス信号に含まれる第１のローリングコード又は駆動要求信号に含まれる第２のローリングコードを記憶する。車載機１００は、受信したローリングコードが、前回のローリングコードの値から所定の範囲内であるときローリングコードは正しいと判別する。
【００４７】
車載機１００の一実施例では、レスポンス信号に含まれる第１のローリングコードが正しいか否かを判別するためのレスポンス信号照合部１０６２と、駆動要求信号に含まれる第２のローリングコードが正しいか否かを判別するための駆動要求信号照合部１０６４とを有する。このようにすることにより、レスポンス信号とは別に、駆動要求信号が正しいか否かを判別できる。
【００４８】
受信要求部１０６６は、制御ＥＣＵ３００から、携帯機２００からの駆動要求信号を検出させる制御信号が入力される。受信要求部１０６６は、携帯機２００からの駆動要求信号を検出させる制御信号が入力された場合、送受信機１０２に受信処理を実行させるための制御を行う。
【００４９】
＜車両の機能＞
車両の機能について説明する。図３に示される機能ブロック図により表される機能は、主に、ＭＰＵ３０２により実行される。つまり、ドア制御部３０２２、充電リッド制御部３０２４、駆動要求信号受信要求部３０２６としての機能が、ＭＰＵ３０２の内部に記憶されたアプリケーション（ファームウェア）に従ってＭＰＵ３０２により実行される。また、ドア制御部３０２２、充電リッド制御部３０２４、駆動要求信号受信要求部３０２６としての機能が、記憶部（図示無し）に記憶されたアプリケーションに従ってＭＰＵ３０２により実行されてもよい。
【００５０】
ＭＰＵ３０２は、ドア制御部３０２２と、充電リッド制御部３０２４、駆動要求信号受信要求部３０２６として機能する。
【００５１】
ドア制御部３０２２には、レスポンス信号照合部１０６２からのドアのロック又はドアのアンロックを要求する制御信号が入力される。ドア制御部３０２２は、ドアのロック又はドアのアンロックを要求する制御信号に従って、ドア３０４のロック又はアンロックを実行する。
【００５２】
また、ドア制御部３０２２には、駆動要求信号照合部１０６４からのドアのロック又はドアのアンロックを要求する制御信号が入力されるようにしてもよい。ドア制御部３０２２には、ドアのロック又はドアのアンロックを要求する制御信号に従って、ドア３０４のロック又はアンロックを実行する。
【００５３】
充電リッド制御部３０２４には、駆動要求信号照合部１０６４からの充電リッドのロック又はアンロックを要求する制御信号が入力される。充電リッド制御部３０２４は、充電リッドのロック又はアンロックを要求する制御信号に従って、充電リッドの蓋をロックポジションに設定したり、アンロックポジションに設定したりする。
【００５４】
充電リッド３０６の状態には、充電リッドの蓋がロック状態であることを表すロックポジションと、充電リッド３０６の蓋がアンロック状態であることを表すアンロックポジションとが含まれる。さらに、充電リッド３０６の近傍には、車載機１００に、携帯機２００からの、駆動要求信号を検出させる機能をオンさせるためのスイッチ３０８が搭載される。
【００５５】
充電リッド制御部３０２４は、駆動要求信号照合部１０６４からの充電リッドのアンロックを要求する制御信号に従って、充電リッドをアンロック状態にするとともに、充電リッドの蓋をオープンするようにしてもよい。
【００５６】
また、ドア制御部３０２２は、レスポンス信号照合部１０６２からドアのアンロックを要求する制御信号が入力された場合に、充電リッド制御部３０２４へ、充電リッドのアンロックを要求する制御信号を入力するようにしてもよい。この場合、充電リッド制御部３０２４は、ドア制御部３０２２からの充電リッドのアンロックを要求する制御信号に従って、充電リッドの蓋をアンロックポジションに設定する。また、充電リッド制御部３０２４は、ドア制御部３０２２からの充電リッドのアンロックを要求する制御信号に従って、充電リッドをアンロック状態にするとともに、充電リッドの蓋をオープンするようにしてもよい。このようにすることにより、携帯機２００からの電波により、ドアをロックしたり、アンロックしたりする制御と同期して、充電リッドの蓋をロックしたり、アンロックしたりできる。
【００５７】
駆動要求信号受信要求部３０２６は、スイッチ３０８が押された場合に、車載機１００へ、携帯機２００からの駆動要求信号を検出させるための制御信号を入力する。
【００５８】
＜携帯機２００＞
携帯機２００は、送受信機２０２と、制御部２０４と、操作部２０６とを有する。
【００５９】
送受信機２０２は、車載機１００との間で無線通信を行う。具体的には、車載機１００からのリクエスト信号を受信したり、車載機１００へレスポンス信号を送信したりする。また、送受信機２０２は、車載機１００へ、駆動要求信号を送信する。
【００６０】
制御部２０４は、送受信機２０２を制御し、操作部２０６による操作内容に従って機能する。制御部２０４には、操作部２０６が操作されることにより制御信号が入力される。制御部２０４は、制御信号に従って、車載機１００へ、該操作内容を指示するための信号を送信するように送受信機２０２を制御する。また、制御部２０４は、車載機１００からのリクエスト信号が送受信機２０２から入力された場合に、レスポンス信号を送信するように制御する。
【００６１】
操作部２０６は、ユーザが車両に所定の機能を実行させようとする際に、該機能を指示するためのものである。操作部２０６には、１又は複数の釦を有するようにしてもよい。釦には、操作内容が対応づけられてもよい。
【００６２】
＜遠隔操作システムの動作＞
図４は、遠隔操作システムの動作の一実施例を示すフローチャートである。
【００６３】
図４には、車載機１００の動作が主に示される。
【００６４】
ステップＳ４０２では、レスポンス信号照合部１０６２は、携帯機２００からの受信信号に含まれるコードの照合結果が正しいか否かを判定する。
【００６５】
ステップＳ４０４では、ステップＳ４０２により受信信号に含まれるコードの照合結果が正しいと判定された場合、レスポンス信号照合部１０６２は、制御ＥＣＵ３００へ、ドアのロック又はアンロックを指示する制御信号を送信する。この場合、受信信号は、レスポンス信号であると判定される。制御ＥＣＵ３００へ、ドアのロック又はアンロックを指示する制御信号が送信される結果、ドア制御部３０２２は、ドア３０４のロック又はアンロックを実行する。
【００６６】
ステップＳ４０６では、ステップＳ４０２により受信信号に含まれるコードの照合結果が誤りと判定された場合、レスポンス信号照合部１０６２は、受信信号に含まれるローリングコードの照合結果が正しいか否かを判定する。
【００６７】
ステップＳ４０８では、ステップＳ４０６により受信信号に含まれるローリングコードの照合結果が正しいと判定された場合、レスポンス信号照合部１０６２は、受信信号に操作情報が含まれるか否かを判定する。
【００６８】
ステップＳ４０８により、受信信号に操作情報が含まれると判定された場合、ステップＳ４０４へ遷移する。この場合、レスポンス信号照合部１０６２は、制御ＥＣＵ３００へ、ドアのロック又はアンロックを指示する制御信号を送信する。制御ＥＣＵ３００へ、ドアのロック又はアンロックを指示する制御信号が送信される結果、ドア制御部３０２２は、ドア３０４のロック又はアンロックを実行する。
【００６９】
ステップＳ４０６により受信信号に含まれるローリングコードの照合結果が誤りであると判定された場合、終了する。
【００７０】
ステップＳ４１０では、ステップＳ４０８により受信信号に操作情報が含まれないと判定された場合、駆動要求信号照合部１０６４は、送受信機１０２により駆動要求信号が受信されたか否かを判定する。
【００７１】
ステップＳ４１２では、ステップ４１０により駆動要求信号が受信されたと判定された場合、駆動要求信号照合部１０６４は、制御ＥＣＵ３００へ、充電リッド３０６のロック又はアンロックを指示する制御信号を送信する。制御ＥＣＵ３００へ、充電リッド３０６のロック又はアンロックを指示する制御信号が送信される結果、充電リッド制御部３０２４は、充電リッド３０６のロック又はアンロックを実行する。
【００７２】
ステップ４１０により駆動要求信号が受信されたと判定されない場合、終了する。
【００７３】
車載機１００の送受信機１０２から送信される電波の到達するエリアは、車載機１００と携帯機２００との間で相互に通信できるエリアよりも広い。このため、送受信機１０２から離れた位置に搭載された駆動機器の近傍で、ユーザが携帯機２００を所持していたとしても、該携帯機２００に、送受信機１０２からの電波を検出させることができる。また、送受信機１０２からの電波を検出した携帯機２００は、送受信機１０２へ、駆動要求信号を送信できる。該駆動要求信号により充電リッド３０６のロック又はアンロックを実行させることができる。
【００７４】
また、ドアのロック又はアンロックと同期して、充電リッドのロック又はアンロックを実行させることができる。このため、車両に蓄電された電気の盗難、充電リッドへのいたずらを防止できる。
【００７５】
＜第２の実施例＞
＜通信システム＞
図５は、通信システムの一実施例を示す。
【００７６】
通信システムは、図１の通信システムに充電ケーブルロック部３１０を有するようにしたものである。
【００７７】
充電ケーブルロック部３１０は、充電ケーブルをロックしたり、アンロックしたりする。充電ケーブルをロックしたりアンロックしたりできることにより、充電ケーブルを着脱する際の操作性を向上させることができる。また、充電ケーブルの盗難を防止できる。
【００７８】
＜車載機１００の機能＞
図６は、車載機１００の機能の一実施例を示す機能ブロック図である。
【００７９】
車載機１００の機能の一実施例では、図３を参照して説明した機能に加えて、ＭＰＵ３０２の機能が、充電ケーブル制御部３０２８として機能するようにしたものである。
【００８０】
駆動要求信号照合部１０６４には、送受信機１０２から駆動要求信号が入力される。駆動要求信号照合部１０６４は、駆動要求信号に含まれる第２のローリングコードが、前回の第２のローリングコードの値から所定の範囲内であるか否かを判別する。駆動要求信号照合部１０６４は、駆動要求信号に含まれる第２のローリングコードが、前回の第２のローリングコードの値から所定の範囲内であると判別された場合、制御ＥＣＵ３００へ、充電ケーブルのロック又はアンロックを要求する。つまり、駆動要求信号照合部１０６４は、制御ＥＣＵ３００へ、充電ケーブルのロック又はアンロックを要求する制御信号を入力する。
【００８１】
充電ケーブル制御部３０２８には、駆動要求信号照合部１０６４からの充電ケーブルのロック又はアンロックを要求する制御信号が入力される。
【００８２】
充電ケーブルロック部３１０の状態には、充電ケーブルがロック状態であることを表すロックポジションと、充電ケーブルがアンロック状態であることを表すアンロックポジションとが含まれる。さらに、充電ケーブルロック部３１０の近傍には、車載機１００に、携帯機２００からの、駆動要求信号を検出させる機能をオンさせるためのスイッチ３０８が搭載される。スイッチ３０８は、携帯機からの充電リッドのロックや、アンロックを要求する信号を検出させる機能をオンさせるためのスイッチと兼用されてもよいし、兼用されなくてもよい。
【００８３】
充電ケーブル制御部３０２８は、充電ケーブルのロック又はアンロックを要求する制御信号に従って、充電ケーブルをロックポジションに設定したり、アンロックポジションに設定したりする。
【００８４】
また、ドア制御部３０２２は、レスポンス信号照合部１０６２からドアのアンロックを要求する制御信号が入力された場合に、充電ケーブル制御部３０２８へ、充電ケーブルのアンロックを要求する制御信号を入力するようにしてもよい。この場合、充電ケーブル制御部３０２８は、ドア制御部３０２２からの充電リッドのアンロックを要求する制御信号に従って、充電ケーブルをアンロックポジションに設定する。このようにすることにより、携帯機２００からの電波により、ドアをロックしたり、アンロックしたりする制御と同期して、充電ケーブルをロックしたり、アンロックしたりできる。
【００８５】
車載機１００の送受信機１０２から送信される電波の到達するエリアは、車載機１００と携帯機２００との間で相互に通信できるエリアよりも広い。このため、送受信機１０２から離れた位置に搭載された駆動機器の近傍で、ユーザが携帯機２００を所持していたとしても、該携帯機２００に、送受信機１０２からの電波を検出させることができる。また、送受信機１０２からの電波を検出した携帯機２００は、送受信機１０２へ、駆動要求信号を送信できる。該駆動要求信号により充電ケーブルのロック又はアンロックを実行させることができる。
【００８６】
また、ドアのロック又はアンロックと同期して、充電ケーブルのロック又はアンロックを実行させることができる。このため、充電ケーブルを着脱する際の操作性を向上させることができる。また、充電ケーブルの盗難を防止できる。
【００８７】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウェアで、ソフトウェアで又はそれらの組み合わせで実現されてもよい。本発明は上記実施例に限定されず、本発明の精神から逸脱することなく、様々な変形例、修正例、代替例、置換例等が包含される。
【符号の説明】
【００８８】
１００  車載機
１０２  送受信機
１０４  照合ＥＣＵ
１０６  ＭＰＵ
２００  携帯機
２０２  送受信機
２０４  制御部
２０６  操作部
３００  制御ＥＣＵ
３０２  ＭＰＵ
３０４  ドア
３０６  充電リッド
３０８  スイッチ
３１０  充電ケーブルロック部
１０６２  レスポンス信号照合部
１０６４  駆動要求信号照合部
１０６６  受信要求部
３０２２  ドア制御部
３０２４  充電リッド制御部
３０２６  駆動要求信号受信要求部
３０２８  充電ケーブル制御部
【図１】
0005790559.tif 000002
【図２】
0005790559.tif 000003
【図３】
0005790559.tif 000004
【図４】
0005790559.tif 000005
【図５】
0005790559.tif 000006
【図６】
0005790559.tif 000007